(57)【要約】【課題】  本発明は、リアリティを持って、現実社会と仮想空間を結びつけて表示できるシステムを提供することを目的とする。【解決手段】  上記課題は、情報提供システム（１）であって、携帯端末（３）において、現実空間に関する情報を携帯端末（３）に入力（撮影）するとともに、携帯端末（３）自体の方向に関する情報を、基地局（７）を介してサーバ（５）へ送信し、基地局（７）において、携帯端末（３）の位置を把握してサーバ（５）へ送信し、サーバ（５）において、受信した携帯端末（３）の位置と方向に関する情報とから、携帯端末（３）により撮影される現実空間に含まれる対象物を把握し、それに対応した仮想表示をデータベース（５３）から選択して読み出して携帯端末（３）へ送信する、情報提供システム（１）により解決される。これにより、携帯端末（３）では、撮影された現実空間に仮想表示情報が重ねて表示される。【選択図】  図１
2011242816.tif 000002
【特許請求の範囲】
【請求項１】
撮影した現実空間の対象物に仮想空間上の当該対象物に対応した仮想表示を重ねて表示できる携帯端末（３）と、
前記携帯端末（３）の位置を把握し、前記携帯端末（３）へ前記仮想表示情報を送信するサーバ（５）と、
前記携帯端末（３）と前記サーバ（５）とを仲介する基地局（７）と、
を含む、情報提供システム（１）であって、
前記携帯端末（３）は、
携帯端末（３）の受信手段（３１）と、撮影手段（３３）と、スクロール手段（３５）と、表示手段（３７）と、携帯端末（３）の送信手段（３９）とを有し、
前記携帯端末（３）の受信手段（３１）は、
前記サーバ（５）から仮想表示情報を受信する手段であり、
前記撮影手段（３３）は、
現実空間を撮影する手段であり、
前記スクロール手段（３５）は、
前記携帯端末（３）自体の方向に関する情報を入力するための手段であり、
前記表示手段（３９）は、
前記撮影手段（３３）により撮影された現実空間を表示するとともに、前記サーバ（５）から送信された前記仮想表示情報を前記現実空間に重ねて表示することができるものであり、
前記携帯端末（３）の送信手段（３９）は、
前記スクロール手段（３５）により入力された携帯端末（３）自体の方向に関する情報を前記基地局（７）へ送信する手段であり、
前記基地局（７）は、
基地局（７）の受信手段（７１）と、位置把握手段（７３）と、基地局（７）の送信手段（７５）とを有し、
前記基地局（７）の受信手段（７１）は、
前記携帯端末（３）自体の方向に関する情報を受け取る手段であり、
前記位置把握手段（７３）は、
前記携帯端末（３）の位置を把握する手段であり、
前記基地局（７）の送信手段（７５）は、
前記サーバ（５）に対して、前記携帯端末（３）の位置に関する情報と、前記携帯端末（３）自体の方向に関する情報を送信する手段であり、
前記サーバ（５）は、
サーバ（５）の受信手段（５１）と、データベース（５３）と、仮想表示情報選択手段（５５）と、サーバ（５）の送信手段（５７）とを含み、
前記サーバ（５）の受信手段（５１）は、前記基地局（７）から送信された前記携帯端末（３）の位置に関する情報と、前記携帯端末（３）自体の方向に関する情報を受信する手段であり、
前記データベース（５３）は、対象物に関する情報と関連して当該対象物に対応した仮想表示を記憶した記憶部であり、
前記仮想表示情報選択手段（５５）は、前記携帯端末（３）の位置に関する情報と、前記携帯端末（３）自体の方向に関する情報から、前記携帯端末（３）により撮影される現実空間に含まれる対象物を把握し、当該把握した対象物に対応した仮想表示を前記データベースから選択して読み出す手段であり、
前記サーバ（５）の送信手段（５７）は、前記仮想表示情報選択手段（５５）が読み出した対象物に対応した仮想表示を前記携帯端末（３）へ送信する手段であり、
これにより、前記撮影手段（３３）により前記携帯端末（３）に現実空間に関する情報が入力され、
前記スクロール手段（３５）により、前記携帯端末（３）に前記携帯端末（３）自体の方向に関する情報が入力され、
前記携帯端末（３）の送信手段（３９）により、前記携帯端末（３）自体の方向に関する情報が前記基地局（７）へ送信され、
前記基地局（７）の受信手段（７１）が、前記携帯端末（３）自体の方向に関する情報を受け取り、
前記位置把握手段（７３）が、前記携帯端末（３）の位置を把握し、
前記基地局（７）の送信手段（７５）が、前記サーバ（５）に対して、前記携帯端末（３）の位置に関する情報と、前記携帯端末（３）自体の方向に関する情報を送信し、
前記サーバ（５）の受信手段（５１）が、前記基地局（７）から送信された前記携帯端末（３）の位置に関する情報と、前記携帯端末（３）自体の方向に関する情報を受信し、
前記仮想表示情報選択手段（５５）は、前記携帯端末（３）の位置に関する情報と、前記携帯端末（３）自体の方向に関する情報から、前記携帯端末（３）により撮影される現実空間に含まれる対象物を把握し、当該把握した対象物に対応した仮想表示を前記データベース（５３）から選択して読み出し、
前記サーバ（５）の送信手段（５７）は、前記仮想表示情報選択手段（５５）が読み出した対象物に対応した仮想表示を前記携帯端末（３）へ送信し、
前記携帯端末（３）の表示手段は、前記撮影手段（３３）により撮影された現実空間を表示するとともに、前記サーバ（５）から送信された前記仮想表示情報を前記現実空間に重ねて表示する、
情報提供システム（１）。
【発明の詳細な説明】
【技術分野】
【０００１】
本発明は、視界情報に仮想情報を付加して表示できるシステムなどに関する。より詳しく説明すると、本発明は、ジャイロを持たない携帯端末において、マニュアルにより携帯端末の方向を入力し、これにより現実社会に対応した仮想情報を付加して表示できるシステムに関する。
【背景技術】
【０００２】
特開２００３−２４８６５０号公報（特許文献１）には、現実世界のメディア（放送等）と仮想空間のメディア（放送等）を統合し、現実社会と仮想空間を結びつける発明が開示されている。この発明は、現実世界において携帯端末が撮影した現実世界に直接仮想空間が結び付けられるものではない。このため、この公報に開示されたシステムは、一体感やリアリティにかける。
【０００３】
一方、特開２００６−２４１６８号公報（特許文献２）に開示された発明は、「複数の３次元実空間範囲情報と各３次元実空間範囲情報を識別する識別子とを対応付けた複数のバルーンデータを保持する第１データベース」を有する。これにより３次元実空間に対応した複数のバルーンデータを表示することができるとされている。この公報の段落［００２３］には、携帯端末が、傾斜センサ及び方位センサを有することが開示されている。そして、この公報に開示された発明は、傾斜センサを用いて携帯端末の水平面からの傾きを把握し、方位センサを用いて方位を把握するとされている。
【０００４】
しかしながら、現実に傾斜センサや方位センサを用いても携帯端末の傾きや方向を正しく把握することができない。
【特許文献１】特開２００３−２４８６５０号公報
【特許文献２】特開２００６−２４１６８号公報
【発明の開示】
【発明が解決しようとする課題】
【０００５】
本発明は、リアリティを持って、現実社会と仮想空間を結びつけて表示できるシステムを提供することを目的とする。
【０００６】
また、本発明は、容易に携帯端末の傾きや方向を把握して、適切に現実社会と仮想空間を結びつけて表示できるシステムを提供することを目的とする。
【課題を解決するための手段】
【０００７】
本発明は、基本的には、撮影可能な携帯端末（３）と、サーバ（５）と、携帯端末（３）とサーバ（５）とを仲介する基地局（７）とを含む情報提供システム（１）に関する。この発明の情報提供システム（１）において、携帯端末（３）は、撮影した現実空間の対象物に仮想空間上の当該対象物に対応した仮想表示を重ねて表示できるものであり、サーバ（５）は、携帯端末（３）の位置を把握し、携帯端末（３）へ仮想表示情報を送信するものである。そして、携帯端末（３）では、撮影手段（３３）により携帯端末（３）に現実空間に関する情報が入力され、スクロール手段（３５）により、携帯端末（３）に携帯端末（３）自体の方向に関する情報が入力され、携帯端末（３）の送信手段（３９）により、携帯端末（３）自体の方向に関する情報が基地局（７）へ送信される。基地局（７）では、基地局（７）の受信手段（７１）が、携帯端末（３）自体の方向に関する情報を受け取り、位置把握手段（７３）が、携帯端末（３）の位置を把握し、基地局（７）の送信手段（７５）が、サーバ（５）に対して、携帯端末（３）の位置に関する情報と、携帯端末（３）自体の方向に関する情報を送信する。サーバ（５）では、受信手段（５１）が、基地局（７）から送信された携帯端末（３）の位置に関する情報と、携帯端末（３）自体の方向に関する情報を受信し、仮想表示情報選択手段（５５）が、携帯端末（３）の位置に関する情報と、携帯端末（３）自体の方向に関する情報から、携帯端末（３）により撮影される現実空間に含まれる対象物を把握し、当該把握した対象物に対応した仮想表示をデータベース（５３）から選択して読み出し、サーバ（５）の送信手段（５７）は、仮想表示情報選択手段が読み出した対象物に対応した仮想表示を携帯端末（３）へ送信する。これにより、携帯端末（３）の表示手段（３９）には、撮影手段（３３）により撮影された現実空間が表示されるとともに、サーバ（５）から送信された仮想表示情報が現実空間に重ねて表示される。
【０００８】
すなわち、この情報提供システム（１）によれば、現実空間の視界情報に仮想情報を付加することができる。したがって、ユーザは、現実空間の視界情報（Live View）だけでは得られない情報を、出先で、仮想情報から取得することができる。しかも、この仮想情報は、現実社会と結びつけられた状態で表示されるので、ユーザは、一体感やリアリティを持って表示手段（３７）の表示画面（３７ａ）を見ることができる。このため、ユーザは、表示画面（３７ａ）を違和感なく見ながら、情報を得ることができる。また、携帯端末（３）は、スクロール手段（３５）を有しているので、携帯端末（３）にジャイロなどの傾斜センサや方位センサを設ける必要がないため、サーバ（５）は、携帯端末（３）の方向に関する情報を、傾斜センサや方位センサの出力情報から計算して求める必要がなく、容易に把握することができる。
【発明の効果】
【０００９】
本発明によれば、リアリティを持って、現実社会と仮想空間を結びつけて表示できるシステムを提供できる。また、容易に携帯端末（３）の傾きや方向を把握して、適切に現実社会と仮想空間を結びつけて表示できるシステムを提供することができる。
【発明を実施するための最良の形態】
【００１０】
以下、図面を用いて本発明を実施するための最良の形態を説明する。しかしながら、以下説明する形態はある例であって、当業者にとって自明な範囲で適宜修正することができる。
【００１１】
図１は、本発明の情報提供システムの基本構成を示すブロック図である。図１に示されるように、本発明の情報提供システム（１）は、携帯端末（３）と、サーバ（５）と、基地局（７）とを含む。
【００１２】
携帯端末（３）は、携帯端末（３）用の受信手段（３１）と、撮影手段（３３）と、スクロール手段（３５）と、表示手段（３７）と、携帯端末（３）用の送信手段（３９）とを有しており、表示手段（３７）によって、撮影した現実空間の対象物に仮想空間上の当該対象物に対応した仮想表示を重ねて表示できるものである。携帯端末（３）の例としては、携帯電話などの撮像装置付きの携帯通信機器、ノート型パーソナルコンピュータやＰＤＡ（Ｐｅｒｓｏｎａｌ  Ｄａｔａ  Ａｓｓｉｓｔａｎｃｅ）などの撮像装置付の携帯可能な情報処理装置、通信可能に構成された画像処理装置（デジタルカメラやビデオカメラ）が挙げられる。これらの機器や装置は、無線通信可能に構成されていることが好ましく、これにより、ユーザは、これらの機器や装置を携帯して移動することができる。
【００１３】
ここで、携帯端末（３）の各手段は、図１において点線で示す内蔵コンピュータによって実現される。すなわち、このコンピュータの情報記録媒体には、このコンピュータを、各手段を含む装置として機能させるためのプログラムが格納されている。なお、仮想表示は、サーバ（５）から携帯端末（３）へ送信する情報に基づいたものであり、仮想表示情報の詳細については後述する。
【００１４】
携帯端末（３）の受信手段（３１）は、サーバ（５）から基地局（７）を介して仮想表示情報を受信する手段である。この受信手段（３１）は、たとえば、公知のアンテナ及びＣＯＤＥＣ（符号器及び複号器）などにより実現できる。撮影手段（３３）は、現実空間を撮影する手段である。一般的に、ユーザは、主被写体である対象物を含むように携帯端末（３）自体の方向（方位や傾き）を選び、選んだ方向を撮影方向として、撮影手段（３３）で現実空間を撮影する。すなわち、現実空間は、対象物を含む。この撮影手段（３３）として、携帯電話に搭載された公知のカメラがあげられる。
【００１５】
表示手段（３７）は、撮影手段（３３）により撮影された現実空間を表示するとともに、サーバ（５）から送信された仮想表示情報を現実空間に重ねて表示することができるものである。表示手段の例は、携帯電話のモニタである。携帯端末は、たとえばフレームバッファを有しており、表示するための情報をいったんフレームバッファに格納し、表示用の情報に変換した後モニタに表示すればよい。表示手段（３７）は、タッチパネルで構成されていることが好ましい。
【００１６】
スクロール手段（３５）は、携帯端末（３）自体の方向に関する情報を入力するための手段である。たとえば、スクロール手段（３５）は、表示手段（３７）の表示画面（３７ａ）上に表示されたスクロールバー（３５ａ）と、スクロールバー（３５ａ）を表示するための手段とによって主として構成されている。なお、スクロールバー（３５ａ）に代えてスライドバーなどであってもよい。すなわち、本発明のスクロール手段の例は、モニタに表示されるスクロールバーをスクロールさせて携帯端末自体の方向に関する情報を入力させるものがあげられる。そして、ユーザは、このスクロールバー（３５ａ）を操作することによって、携帯端末（３）の東西南北などの方位と、携帯端末（３）の水平面又は地面に対する傾きとを入力することができる。この操作は、たとえば、表示手段であるモニタが圧力感知型のタッチパネルとなっており、圧力の変異を把握して、これにより指示情報を入力できるものであっても良い。方位は、東西南北などを指定することに代えて、ユーザが撮影方向又は対象物と携帯端末（３）との相対位置関係を、携帯端末（３）の表示手段（３７）の表示画面（３７ａ）の上辺を「北」として、表示画面（３７ａ）を指でなぞる（フリックやピンチ）ようにして示すことで指定してもよい。又は、方位を指定するために、たとえば、太陽や月の向きを指定してもよい。この場合、スクロールバー（３５ａ）を操作した年月日と、太陽や月の向きとから携帯端末（３）自体の方向を特定することができる。また、方位を指定するために、ユーザ（つまり、携帯端末（３））が移動してきた針路に対する撮影方向を入力してもよい。ここで、携帯端末（３）の針路は、基地局（７）の後述する位置把握手段（７３）が把握した携帯端末（３）の位置の経時情報から把握することが可能である。なお、スクロール手段（３５）で入力される情報は、携帯端末（３）の方位や傾きに限られることはなく、携帯端末（３）自体の方向を特定できるものであればいかなるものであってもよい。
【００１７】
また、本発明のスクロール手段の別の例として、現実空間が表示されているモニタをなぞることにより、携帯端末自体の方向を入力するものがあげられる。具体的には、表示手段には、サーバから送信された携帯端末付近の代表的な対象物についての仮想表示が表示されている。そして、モニタをなぞることによりその表示を移動させ、現実空間のその対象物と一致した場合にモニタから指を離すなどの入力情報を受けて、これにより携帯端末自体の方向に関する情報を入力するものがあげられる。
【００１８】
送信手段（３９）は、スクロール手段（３５）により入力された携帯端末（３）自体の方向に関する情報を基地局（７）へ送信する手段である。送信手段の具体的な態様として、アンテナ及びＣＯＤＥＣがあげられる。
【００１９】
基地局（７）は、基地局（７）用の受信手段（７１）と、位置把握手段（７３）と、基地局（７）用の送信手段（７５）とを有しており、携帯端末（３）とサーバ（５）とを仲介するものである。基地局（７）は、地上や地下に多数設置されている。ここで、それぞれの基地局（７）の各手段は、図１において点線で示す内蔵コンピュータによって実現される。すなわち、このコンピュータの情報記録媒体には、このコンピュータを、各手段を含む装置として機能させるためのプログラムが格納されている。
【００２０】
受信手段（７１）は、携帯端末（３）自体の方向に関する情報を携帯端末（３）の送信手段（３９）から受け取る手段である。
【００２１】
位置把握手段（７３）は、携帯端末（３）の位置を把握する手段である。位置把握手段（７３）は、たとえば、ＧＰＳ（Ｇｌｏｂａｌ  Ｐｏｓｉｔｉｏｎｉｎｇ  Ｓｙｓｔｅｍ）衛星からの情報に基づいて、携帯端末（３）の位置（緯度及び経度）を特定する。又は、ワイファイ（Ｗｉ−Ｆｉ）の仕組みによって、携帯端末（３）の位置を特定してもよい。
【００２２】
送信手段（７５）は、サーバ（５）に対して、位置把握手段（７３）によって把握した携帯端末（３）の位置に関する情報と、携帯端末（３）から受信手段（７１）を介して受信した携帯端末（３）自体の方向に関する情報を送信する手段である。
【００２３】
サーバ（５）は、サーバ（５）用の受信手段（５１）と、データベース（５３）と、仮想表示情報選択手段（５５）と、サーバ（５）用の送信手段（５７）とを含んでおり、携帯端末（３）の位置を把握し、携帯端末（３）へ仮想表示情報を送信するものである。ここで、サーバ（５）の各手段は、図１において点線で示す内蔵コンピュータによって実現される。すなわち、このコンピュータの情報記録媒体には、このコンピュータを、各手段を含む装置として機能させるためのプログラムが格納されている。
【００２４】
受信手段（５１）は、基地局（７）から送信された携帯端末（３）の位置に関する情報と、携帯端末（３）から基地局（７）を介して送信された携帯端末（３）自体の方向に関する情報を受信する手段である。
【００２５】
データベース（５３）は、対象物に関する情報と関連して当該対象物に対応した仮想表示を記憶した記憶部である。
【００２６】
図２は、データベース（５３）の例である。図２に示すように、対象物と、その位置と、その向きと、その対象物に関するテキスト情報と、静止画や動画などの仮想表示に必要な画像情報とが関連付けられている。この例では、ある建物「○×ビル」について、その建物にある店舗に関する情報が建物の向きによって分けられている。また、図２に示したようなデータベース（５３）において、さらに、対象物とその角度と当該角度に対応する建物の画像情報とを関連付けてもよく、これにより、より詳細な情報をユーザに精確に提供することができる。さらには、データベース（５３）において、対象物に関する情報を、ジャンル分けしておくことが好ましい。
【００２７】
仮想表示情報選択手段（５５）は、携帯端末（３）の位置に関する情報と、携帯端末（３）自体の方向に関する情報から、携帯端末（３）により撮影される現実空間に含まれる対象物を把握し、当該把握した対象物に対応した仮想表示をデータベース（５３）から選択して読み出す手段である。具体的には、仮想表示情報選択手段（５５）は、携帯端末（３）の位置及び方向から主被写体である対象物の位置を特定し、データベース（５３）から、特定した位置にある対象物を選択するとともに、その向きを特定し、さらに、その対象物に関連付けられたテキスト情報及び画像情報を対象物に対応した仮想表示情報として読み出す。なお、特定した対象物の位置とデータベース（５３）に記憶されている対象物の位置は、完全に一致する必要はなく、許容範囲内で一致していればよい。また、データベース（５３）において、対象物に関する情報を、ジャンル分けしてある場合、仮想表示情報選択手段（５５）は、ユーザのプロフィールやユーザが求める情報などに対応したジャンルの対象物に関する情報を選択するように構成される。なお、この場合、ユーザのプロフィール（年齢、性別、及び職業など）やユーザが求める情報は、サーバ（５）に予め登録されている。
【００２８】
送信手段（５７）は、仮想表示情報選択手段（５５）が読み出した対象物に対応した仮想表示を、携帯端末（３）へ基地局（７）を介して送信する手段である。
【００２９】
上述したような構成の情報提供システム（１）において、視界情報に仮想情報を付加して表示する方法について説明する。
【００３０】
まず、ユーザは、携帯端末（３）を所望の対象物に向け、撮影手段（３３）によって、対象物を含む現実空間を撮影することで、携帯端末（３）に現実空間に関する情報を入力し、これにより、図３に示すように、表示手段（３７）に、撮影手段（３３）により撮影された現実空間を表示させる。図３に示す例では、「○×ビル」が対象物となっている。
【００３１】
続いて、ユーザは、表示された現実空間を視認しながら、スクロール手段（３５）を用いて、携帯端末（３）に、携帯端末（３）自体の方向に関する情報を入力する。図３に示す例では、スクロールバー（３５ａ）を用いて、「西寄り」向きである旨と、携帯端末（３）の傾きを示すチルト角が約−２０°である旨が入力される。これらの情報が入力されると、携帯端末（３）の送信手段（３９）は、携帯端末（３）自体の方向に関する情報を基地局（７）へ送信する。
【００３２】
そして、基地局（７）では、受信手段（７１）が、携帯端末（３）から送信された携帯端末（３）自体の方向に関する情報を携帯端末（３）から受け取る。また、このとき、基地局（７）は、位置把握手段（７３）によって、携帯端末（３）の位置を把握する。そして、基地局（７）の送信手段（７５）は、サーバ（５）に対して、携帯端末（３）の位置に関する情報と、携帯端末（３）自体の方向に関する情報とを送信する。
【００３３】
これにより、サーバ（５）において、受信手段（５１）は、基地局（７）から送信された携帯端末（３）の位置に関する情報と、携帯端末（３）自体の方向に関する情報を受信することになる。
【００３４】
そして、サーバ（５）では、仮想表示情報選択手段（５５）は、携帯端末（３）の位置に関する情報と、携帯端末（３）自体の方向に関する情報から、携帯端末（３）により撮影される現実空間に含まれる対象物を把握し、当該把握した対象物に対応した仮想表示をデータベース（５３）から選択して読み出す。すなわち、サーバ（５）は、ユーザが見ているであろう景観をデータベース（５３）から検索しているともいえる。
【００３５】
また、仮想表示を選択する際、好ましくは、ユーザのプロフィール（年齢、性別、及び職業など）や、ユーザが求める情報、さらには時刻などに基づいて、対象物に対応した仮想表示の内容は取捨選択される。たとえば、ユーザが「女性」であり、そのユーザが「食事」に関する情報（ジャンル）に興味がある場合、「文具店」に関する情報や「銀行」に関する情報は、データベース（５３）から抽出されたとしても削除される。
【００３６】
そして、当該仮想表示情報選択手段（５５）が読み出した対象物に対応した仮想表示は、送信手段（５７）によって、携帯端末（３）へと基地局（７）を介して送信される。これにより、携帯端末（３）では、撮影手段（３３）により撮影されて表示されている現実空間（Ｒｅａｌ  Ｗｏｒｌｄ）に重なるようにして、表示手段（３７）によって、サーバ（５）から送信された仮想表示情報（Ｖｉｒｔｕａｌ  Ｗｏｒｌｄ）が表示されることになる。このときの表示画面（３７ａ）の例を図４に示す。図４に示す例では、対象物である「○×ビル」の「西」向きの壁面近傍に、「×○ラーメン店」に関するテキスト情報及び画像情報が仮想表示（オブジェクト）として表示される。図４に示すように、仮想表示は、ユーザに分かりやすく表示される。特に、仮想表示情報に応じたジャンルなどに合わせて、仮想表示の形、色、動きなどを変えて表示することで、仮想表示をユーザに分かりやすくすることができる。
【００３７】
ここで、仮想表示に関する情報の情報量が多い場合には、リンク先のみを表示したり、リスト表示に切替えたり、別画面を作成したりすることで、狭い表示画面（３７ａ）を効率的に用いることが好ましい。リンク先のみを表示する場合、携帯端末（３）（特に、ｉＰｈｏｎｅ（登録商標）である場合）の本体を横位置（表示画面（３７ａ）が横長となる向き）から縦位置（表示画面（３７ａ）が縦長となる向き）に変更することで、リンク先の画面に遷移させるように構成することが好ましい。なお、仮想表示に関する情報を表示せずに、音声などで出力してもよい。
【００３８】
このようにすることで、現実空間の視界情報に仮想情報を付加することができる。したがって、上述した態様によれば、ユーザは、現実空間の視界情報（Ｌｉｖｅ  Ｖｉｅｗ）だけでは得られない情報を、出先で、仮想情報から取得することができる。しかも、この仮想情報は、現実社会と結びつけられた状態で表示されるので、ユーザは、一体感やリアリティを持って表示画面（３７ａ）を見ることができる。このため、ユーザは、表示画面（３７ａ）を違和感なく見ながら、情報を得ることができる。
【００３９】
また、ユーザは、スクロール手段（３５）を操作して携帯端末（３）自体の方向に関する情報を指定するだけで、サーバ（５）が視界情報に付加すべき仮想情報を選択するので、非常に簡便に仮想情報を取得することができる。すなわち、ユーザは、仮想情報を取得するために、時刻やキーワードなどを入力する必要がなく、手間がかからない。
【００４０】
さらに、携帯端末（３）は、スクロール手段（３５）を有しているので、携帯端末（３）にジャイロなどの傾斜センサや方位センサを設ける必要がなく、携帯端末（３）の小型化を図ることができる。さらには、携帯端末（３）に傾斜センサや方位センサを設ける必要がないので、サーバ（５）は、携帯端末（３）の方向に関する情報を、傾斜センサや方位センサの出力情報から計算して求める必要がなく、容易にかつ正確に把握することができる。
【００４１】
また、サーバ（５）が携帯端末（３）へ送信する仮想情報は、携帯端末（３）の撮影手段（３３）で撮影可能な範囲（つまり、ユーザが視認可能な範囲）にある対象物に関するものに限られているため、情報量を少なくすることができる。さらには、仮想情報を現時点（撮影した時点）に対応する情報に限ることで、情報量をさらに少なくすることができる。すなわち、サーバ（５）は、ユーザに提供すべき仮想情報に含まれるノイズの比率（Ｓ／Ｎ比）を低くすることができる。これにより、ユーザは、無駄な情報を取得せずに済み、適確な情報を取得することができ、その結果、直感的に行動することが可能となる。また、ネットワークにかかる負荷を低減させることができる。
【００４２】
また、データベース（５３）では、対象物に関する情報は、対象物の向きによっても区分けされているので、ユーザは、建物などの対象物を撮影したときの方向によっても、得られる情報が異なるようになっている。これにより、より適確な情報をユーザに提供することができる。
【産業上の利用可能性】
【００４３】
本発明の情報提供システム（１）は、情報提供サービス業などの分野で利用されうる。なお、情報提供システム（１）を構成する携帯端末（３）、基地局（７）、及びサーバ（５）のうち、少なくとも１つを提供する事業分野においても利用されうるのはいうまでもない。
【図面の簡単な説明】
【００４４】
【図１】図１は、本発明の情報提供システムの基本構成を示すブロック図である。
【図２】図２は、データベースの例である。
【図３】図３は、撮影手段により撮影された現実空間を表示させたときの表示画面を示す図である。
【図４】図４は、図３に示すような現実空間に仮想表示情報を重ねて表示させたときの表示画面を示す図である。
【符号の説明】
【００４５】
１  情報提供システム；  ３  携帯端末；  ５  サーバ；  ７  基地局；  
３１  受信手段；  ３３  撮影手段；  ３５  スクロール手段；  ３７  表示手段；  
３７ａ  表示画面；  ３９  送信手段；  
５１  受信手段；  ５３  データベース；  ５５  仮想表示情報選択手段；  
５７  送信手段；
７１  受信手段；  ７３  位置把握手段；  ７５  送信手段  
【図１】
2011242816.tif 000003
【図２】
2011242816.tif 000004
【図３】
2011242816.tif 000005
【図４】
2011242816.tif 000006